(57)【要約】【課題】比較的簡単な操作で、共通の表示画面に複数の測定チャネルそれぞれに異なるデータ表示形態を混在させることができる測定装置を提供すること。【解決手段】複数の測定点の測定信号を共通の表示画面に表示するように構成された測定装置において、複数の測定チャネルそれぞれに所望の異なる表示形態を設定する表示形態設定手段を設けたことを特徴とするもの。【選択図】  図１
2011058816.tif 000002
【特許請求の範囲】
【請求項１】
複数の測定点の測定信号を共通の表示画面に表示するように構成された測定装置において、
複数の測定チャネルそれぞれに所望の異なる表示形態を設定する表示形態設定手段を設けたことを特徴とする測定装置。
【請求項２】
前記表示形態設定手段は、測定チャネル追加部と、測定チャネル削除部、
を含むことを特徴とする請求項１記載の測定装置。
【請求項３】
前記表示形態設定手段は、
さらに、現在表示中の表示画面における各測定チャネルのチャネル番号とそれぞれの表示形態の種類およびそれぞれの配置位置情報を含む表示画面情報を格納するためのスナップショット手段を含むことを特徴とする請求項１または２記載の測定装置。
【請求項４】
前記表示形態設定手段は、
タッチパネルを介して操作されることを特徴とする請求項１から３のいずれかに記載の測定装置。
【発明の詳細な説明】
【技術分野】
【０００１】
本発明は、測定装置に関し、詳しくは、複数の測定点の測定信号を共通の表示画面に表示するように構成された測定装置における表示画面の表示形態の改善に関する。
【背景技術】
【０００２】
測定装置の一種に、たとえば特許文献１に示すように、複数の測定点の測定信号を、所望の形態で記録するとともに、共通の表示画面に表示するように構成されたペーパーレスレコーダがある。
【０００３】
図６は、このようなペーパーレスレコーダの一例を示すブロック図である。図６において、表示部１はたとえば液晶で構成されたものであり、その表面にはオペレータがたとえば指先でタッチして所定の操作を行うタッチパネル２が積層されている。
【０００４】
制御部３は、ペーパーレスレコーダ全体の動作を制御するものであり、パネル操作検出部３１、グループ別表示画面生成部３２、グループ選択部３３などが設けられている。
【０００５】
パネル操作検出部３１は、オペレータによるタッチパネル２の操作状態を検出し、操作に関連した制御信号を出力する。
【０００６】
グループ別表示画面生成部３２は、オペレータによるタッチパネル２の操作に基づき任意の複数の測定チャネルを組み合わせてグループを編成するとともに、編成したグループ単位で所望の表示形態を指定してグループ別にデジタル表示、縦方向バー表示、横方向バー表示、トレンド表示、アラームアナンシェータなどの表示画面を生成し、グループ別表示画面格納部４に格納する。
【０００７】
グループ選択部３３は、オペレータによるタッチパネル２の操作に基づいてグループ別表示画面格納部４に格納されている所望のグループ別表示画面を選択し、表示部１に表示する。
【０００８】
測定部５は、図示しない測定対象のアナログ入力信号をデジタル信号に変換し、変換されたデジタル信号を測定データとして制御部３に取り込む。
【０００９】
測定データ格納部６は、測定部５を介して制御部３に取り込まれた測定データを逐次格納する。
【００１０】
図７は、図６のペーパーレスレコーダの表示部１における表示画面例図である。図７において、表示画面１１の上部には操作領域１２が設けられ、下部にはデータ表示領域１３が設けられている。
【００１１】
操作領域１２には、グループ番号を表示するグループ番号表示領域１２ａと、データ表示領域１３の表示形態を、デジタル表示から縦方向バー表示、横方向バー表示、トレンド表示、アラームアナンシェータなどの所望の表示形態に切り替えるための画面切り替えボタン１２ｂが設けられている。
【００１２】
データ表示領域１３には、図示しないグループ設定画面であらかじめグループ番号０１としてグループ化された測定チャネルＣｈ００１からＣｈ００６までの６チャネルの測定値がデジタル表示されている。
【００１３】
特許文献１には、必要に応じて複数の画面を同時に表示できるペーパーレスレコーダについて記載されている。
【００１４】
【特許文献１】特開２００１−２１３８６号公報
【発明の開示】
【発明が解決しようとする課題】
【００１５】
しかし、図６および図７の構成によれば、表示したいチャネルをグループに追加する場合や、表示が不要になったチャネルをグループから削除したい場合には、その都度グループ設定画面へ移動してグループの設定変更をしなければならず、これら一連の操作が煩わしいという問題がある。
【００１６】
また、１グループの画面内に複数の異なるデータ表示形態を混在させることは意図されておらず、データ表示形態の切り替えにあたっては、画面切り替えボタン１２をクリックしてグループ単位で画面全体を切り替える必要がある。
【００１７】
本発明はこれらの課題を解決するもので、その目的は、比較的簡単な操作で、共通の表示画面に複数の測定チャネルそれぞれに異なるデータ表示形態を混在させることができる測定装置を提供することにある。
【課題を解決するための手段】
【００１８】
このような課題を達成するために、本発明のうち請求項１記載の発明は、
複数の測定点の測定信号を共通の表示画面に表示するように構成された測定装置において、
複数の測定チャネルそれぞれに所望の異なる表示形態を設定する表示形態設定手段を設けたことを特徴とする。
【００１９】
請求項２記載の発明は、
請求項１記載の測定装置において、
前記表示形態設定手段は、測定チャネル追加部と、測定チャネル削除部、
を含むことを特徴とする。
【００２０】
請求項３記載の発明は、
請求項１または２記載の測定装置において、
前記表示形態設定手段は、
さらに、現在表示中の表示画面における各測定チャネルのチャネル番号とそれぞれの表示形態の種類およびそれぞれの配置位置情報を含む表示画面情報を格納するためのスナップショット手段を含むことを特徴とする。
【００２１】
請求項４記載の発明は、
請求項１から３のいずれかに記載の測定装置において、
前記表示形態設定手段は、タッチパネルを介して操作されることを特徴とする。
【発明の効果】
【００２２】
本発明によれば、共通の表示画面に複数の測定チャネルそれぞれに異なるデータ表示形態が混在する測定装置が実現できる。
【図面の簡単な説明】
【００２３】
【図１】本発明の一実施例を示すブロック図である。
【図２】図１の測定装置における表示画面例図である。
【図３】図１の測定装置における他の表示画面例図である。
【図４】本発明の他の実施例を示すブロック図である。
【図５】図４の測定装置における表示画面例図である。
【図６】従来の測定装置の一例を示すブロック図である。
【図７】図６の測定装置における表示画面例図である。
【発明を実施するための最良の形態】
【００２４】
以下、本発明の実施の形態について、図面を用いて詳細に説明する。
図１は本発明の一実施例を示すブロック図であり、図６と共通する部分には同一の記号を付して重複する説明は省略する
【００２５】
図１において、制御部３には、パネル操作検出部３１の他、表示画面生成部３４、測定チャネル挿入部３５、測定チャネル削除部３６、表示形態選択部３７などが設けられている。
【００２６】
パネル操作検出部３１は、オペレータによるタッチパネルのタッチ操作に基づいて、タッチした座標を動かさずに離した場合にはクリック操作が行われたと判断し、タッチパネルにタッチしたままタッチパネルの座標を動かした場合にはドラッグ操作が行われたと判断し、ドラッグした状態でタッチパネルからタッチを離した場合にはタッチを離した座標でドラッグ開始座標のタッチ対象物をドロップする操作が行われたと判断する。
【００２７】
表示画面生成部３４は、たとえば図２に示すような表示画面１４を生成する。図２において、図７と同様に、表示画面１４の上部には操作領域１５が設けられ、下部にはデータ表示領域１６が設けられている。
【００２８】
操作領域１５には、データ表示領域１６に所望の測定チャネルのデータ表示を追加するためのデータ表示追加ボタン１５ａと、データ表示領域１６に表示されている測定チャネルのデータ表示を削除するための削除アイコン１５ｂが設けられている。
【００２９】
データ表示領域１６には、複数の測定チャネルの測定値が、それぞれに設定された表示形態で表示されている。具体的には、測定チャネル００１、００２、００４、００５の測定値はデジタル表示され、測定チャネル００３の測定値は横方向バー表示され、測定チャネル０１１の測定値は縦方向バー表示されている。
【００３０】
操作領域１５のデータ表示追加ボタン１５ａがタッチ選択されると測定チャネル追加部３５が起動され、データ表示領域１６に空のデータ表示部が追加される。図２では、測定チャネル００４の下に空のデータ表示部１６ａが追加されている。
【００３１】
また、図２の表示画面１４において、各データ表示がクリックされると表示形態選択部３６が起動され、図３に示すようなデータ表示設定ダイアログ１７がポップアップ表示される。
【００３２】
図３に示すように、データ表示設定ダイアログ１７には、表示形態の種類を選択表示する表示種類選択表示部１７ａ、測定チャネルを選択表示する表示チャネル選択表示部１７aｂ、選択表示された表示形態の種類および表示チャネルを確定表示するためのＯＫボタン１７ｃ、選択表示された表示形態の種類および表示チャネルをキャンセルするためのキャンセルボタン１７ｄが設けられている。
【００３３】
再び図２において、表示画面１４のデータ表示領域１６における各データ表示をドラッグして削除アイコン１５ｂの上でドロップすると、測定チャネル削除部３７が起動され、ドラッグしてドロップされたデータ表示は削除される。
【００３４】
このように、データ表示中に、オペレータが表示部１に重ねあわされたタッチパネル２の表示画面１４に対応した所定部分をタッチ操作することにより、取扱説明書などを読むことなしに、表示データを追加、変更、削除でき、直感的に簡易的なカスタム画面を作成できる。
【００３５】
図４は本発明の他の実施例を示すブロック図であり、図１と共通する部分には同一の符号を付けている。図４において、制御部３にはスナップショット制御部３８が追加されるとともに、表示画面情報格納部８が設けられている。
【００３６】
図５は図４の測定装置における表示画面例図であり、図２と共通する部分には同一の符号を付けている。図５において、操作領域１５には、スナップショットボタン１５ｃが設けられている。
【００３７】
図５のようなデータ表示中に、オペレータがスナップショットボタン１５ｃをタッチ選択することにより、制御部３のスナップショット制御部３８が起動され、現在表示中の表示画面における各測定チャネルのチャネル番号とそれぞれの表示形態の種類およびそれぞれの配置位置情報を含む表示画面情報が表示画面情報格納部８に格納される。
【００３８】
この表示画面情報格納部８に格納された表示画面情報は、表示部１の表示画面上にいつでも呼び出して表示させることができる。この表示画面情報呼び出し機能により、表示画面情報格納部８に格納された表示画面情報を、図６および図７に示した従来の構成におけるグループ別表示画面の代わりとして使うことができる。
【００３９】
また、タッチパネル２の操作に基づいて、いずれかの測定チャネルの表示データをドラッグして他の測定チャネルの表示データの上でドロップすることにより、これら測定チャネル間で配置位置を入れ替えることができる。この測定チャネルの配置位置入れ替え機能を活用することで、カスタム画面としてユーザーの好みに近い各測定チャネルの配置を直感的に実現できる。
【００４０】
また、図３のデータ表示設定ダイアログ１７の表示種類選択表示部１７ａに、選択対象として測定装置に格納されている測定データに関連した画像データや測定装置に外付けされるカメラの画像データを設定することにより、必要に応じて共通の表示画面上で測定データと測定対象の画像データを関連付けて表示させることができ、測定装置の測定機能を拡大充実させることができる。
【００４１】
また、ネットワーク機能を追加することにより、他の測定装置のデータを取得できるようにすることもできる。図３のデータ表示設定ダイアログ１７の表示種類選択表示部１７ａに、選択対象として他の測定装置のデータ情報を設定し表示させることで、１台の測定装置で複数の測定装置のデータを表示できる。
【００４２】
さらに、前述のスナップショットボタン１５ｃで保存した配置情報をネットワークを介して複数の測定装置で共有することもできる。
【００４３】
なお、上記各実施例では、タッチパネルのタッチ操作に基づき、各測定チャネルにそれぞれ所望の表示形態を設定する例を説明したが、本発明は操作パネル型の測定装置にも適用できるものである。
【００４４】
以上説明したように、本発明によれば、複数の測定チャネルそれぞれに、異なるデータ表示形態を混在させることができるとともに、比較的簡単にユーザーが直感的に表示したい画面を作成できる測定装置が実現でき、各種の複数測定点の測定信号の測定表示記録を行うペーパーレスレコーダなどに好適である。
【符号の説明】
【００４５】
１  表示部
２  タッチパネル
３  制御部
３１  パネル操作検出部
３４  表示画面生成部
３５  測定チャネル追加部
３６  表示形態選択部
３７  測定チャネル削除部
３８  スナップショット制御部
５  測定部
６  測定データ格納部
７  表示形態格納部
８  表示画面情報格納部
【図１】
2011058816.tif 000003
【図２】
2011058816.tif 000004
【図３】
2011058816.tif 000005
【図４】
2011058816.tif 000006
【図５】
2011058816.tif 000007
【図６】
2011058816.tif 000008
【図７】
2011058816.tif 000009